(57)【要約】【課題】コストを抑えながら、車室内の景観を損なうことなく警告灯を設ける。【解決手段】車両用室内照明装置１０は、車両１の室内に設けられた室内灯１１と、車両１に搭載された緊急スイッチ７への操作に応じて点灯又は点滅する警告灯１２と、を有する。警告灯１２は、室内灯１１の近傍に配置され、室内灯１１と共に単一のカバー部材９で覆われている。これにより、警告灯１２が点灯又は点滅しない場合は乗員から警告灯１２が目視できなく（あるいは目視しにくく）なる。また、警告灯１２の配線を室内灯１１の配線と同じルートで通せるため、新たな配線設計が不要となる。【選択図】図１
2020082873.tif 000002
【特許請求の範囲】
【請求項１】
車両の室内に設けられた室内灯と、
前記車両に搭載された緊急スイッチへの操作に応じて点灯又は点滅する警告灯と、を有し、
前記警告灯は、前記室内灯の近傍に配置され、前記室内灯と共に単一のカバー部材で覆われている
ことを特徴とする、車両用室内照明装置。
【発明の詳細な説明】
【技術分野】
【０００１】
本発明は、室内灯と警告灯とを有する車両用室内照明装置に関する。
【背景技術】
【０００２】
路線バスや観光バスにおいて、運転者が突然意識を失ってバスを運転操作できなくなる事故が報告されている。このような運転者の意識喪失といった非常事態への安全対策として、列車の緊急停止ボタンのような非常スイッチを運転席の近傍に設置し、この非常スイッチ（緊急スイッチ）が操作されたときは車両に制動力を作用させるとともに、警報ランプ（警告灯）を点灯させて異常事態を外部に知らせることが提案されている（例えば特許文献１参照）。
【先行技術文献】
【特許文献】
【０００３】
【特許文献１】特開平8-85359号公報
【発明の概要】
【発明が解決しようとする課題】
【０００４】
前述したような警告灯を車室内に設ける場合、緊急スイッチへの操作に応じて警告灯を点灯させることで、非常事態が生じていることを乗員に知らせることができる。しかしながら、緊急時専用の警告灯を車室内に新たに設けるとコストが上昇する。また、警告灯が常に目視できると、車室内の景観を損なう虞がある。
【０００５】
本件の車両用室内照明装置は、このような課題に鑑み案出されたもので、コストを抑えながら、車室内の景観を損なうことなく警告灯を設けることを目的の一つとする。
【課題を解決するための手段】
【０００６】
ここで開示する車両用室内照明装置は、車両の室内に設けられた室内灯と、前記車両に搭載された緊急スイッチへの操作に応じて点灯又は点滅する警告灯と、を有し、前記警告灯は、前記室内灯の近傍に配置され、前記室内灯と共に単一のカバー部材で覆われていることを特徴としている。
【０００７】
警告灯と室内灯とが単一のカバー部材で覆われることで、警告灯が点灯又は点滅しない場合は乗員から警告灯が目視できなくなる（あるいは目視しにくくなる）ため、車室内の景観が損なわれない。また、警告灯を室内灯の近傍に配置することで、警告灯の配線を室内灯の配線と同じルートで通せるため、新たな配線設計が不要となる。
【発明の効果】
【０００８】
開示の車両用室内照明装置によれば、コストを抑えながら、車室内の景観を損なうことなく警告灯を設けることができる。
【図面の簡単な説明】
【０００９】
【図１】実施形態に係る車両用室内照明装置が適用された車両の概略図である。
【図２】図１の車両用室内照明装置の模式的な斜視図（図１のＡ方向矢視図）であり、カバー部材を透視した状態を示している。
【図３】図１の車両用室内照明装置の模式的な下面図であり、カバー部材を取り外した状態を示している。
【図４】一変形例に係る車両用室内照明装置の模式的な下面図であり、カバー部材を取り外した状態を示している。
【図５】他の変形例に係る車両用室内照明装置の模式的な下面図であり、カバー部材を取り外した状態を示している。
【発明を実施するための形態】
【００１０】
図面を参照して、実施形態としての車両用室内照明装置について説明する。以下に示す実施形態はあくまでも例示に過ぎず、以下の実施形態で明示しない種々の変形や技術の適用を排除する意図はない。実施形態の各構成は、それらの趣旨を逸脱しない範囲で種々変形して実施することができる。また、必要に応じて取捨選択することができ、あるいは適宜組み合わせることができる。
【００１１】
［１．装置構成］
図１に示すように、本実施形態に係る室内照明１０（車両用室内照明装置）は、路線バスや観光バスなどである車両１に設けられている。車両１には、運転者が着席するための運転席２と、乗員が着座するための複数の客席３とが設けられている。車両１の天井面１Ｂには、車両１の室内（以下、「車室内」という）を照らすための複数の室内灯１１が設けられている。なお、図１には車両１の前部を示し、車両１の後部は省略している。また、図１では、車両１の最も前方に配置された客席３に符号３Ａを付す。
【００１２】
車両１には、運転者が突然意識を失うなどの非常事態が発生した場合に車両１を自動で停止させる緊急停止制御を実施する制御装置５（ＥＣＵ）と、緊急停止制御のトリガーとなる緊急停止ボタン７（緊急スイッチ）と、非常事態の発生を乗員に知らせるための警告灯１２とが設けられている。本実施形態では、運転席２の近傍と、車両１の最も前方に配置された客席３Ａ付近の壁面１Ａとの二箇所に緊急停止ボタン７が設けられている場合を例示する。
【００１３】
制御装置５は、緊急停止ボタン７が操作された場合に、車両１に制動力が作用するように図示しないブレーキ装置を制御するとともに、警告灯１２が点灯又は点滅するように警告灯１２を制御する。なお、ここでいう点滅とは、一定の周期で警告灯１２が点灯消灯を繰り返すことに限らず、モールス信号のような一定のパターンに従って点灯消灯を繰り返すことも含む。
【００１４】
室内照明１０は、上述した室内灯１１と警告灯１２とを有する。車両１には、複数の室内照明１０が車両前後方向に並んで設けられている。各々の室内照明１０は、互いに同様に構成され、例えば天井面１Ｂの車幅方向の中央部に配置されている。なお、図１には、車両１に設けられた複数の室内照明１０のうち、車両１の前部に設けられた二つの室内照明１０を示すが、車両１の後部にも同様に室内照明１０が設けられる。また、図１中の長破線は室内灯１１が配置された領域を示し、図１中の短破線は警告灯１２が配置された領域を示している。以下、本実施形態の室内照明１０について、図２及び図３を参照しながら詳述する。
【００１５】
室内灯１１は、上述したように車室内を明るくするための照明機器であり、図示しないスイッチへの操作に応じて例えば白色に点灯可能に構成されている。警告灯１２は、上述の通り、緊急事態を乗員に警告するための光学的信号装置であり、緊急停止ボタン７への操作に応じて室内灯１１とは異なる色（例えば赤色）に点灯又は点滅するように構成されている。室内灯１１及び警告灯１２は、共通の車載バッテリ（図示略）を電力源としている。
【００１６】
図２に示すように、室内照明１０には、室内灯１１の光を拡散させて直線方向の光を目立ちにくくするためのカバー９（カバー部材）が設けられる。警告灯１２は、室内灯１１の近傍に設けられて、室内灯１１とともに単一のカバー９で覆われている。ここで言う「室内灯１１の近傍」とは、室内灯１１及び警告灯１２を単一のカバー９で覆うことができる範囲を意味する。なお、図２では、室内灯１１及び警告灯１２を見やすくするために、カバー９を破線で示している（カバー９を透視した状態を示している）。また、図２では、複数の室内灯１１及び警告灯１２のうち、それぞれ一つのみに符号を付す。
【００１７】
本実施形態の室内灯１１及び警告灯１２は、いずれもＬＥＤ（Light Emitting Diode）であって、一つの室内照明１０にそれぞれが複数設けられる。複数の室内灯１１は、室内灯基盤１１Ａ上にまとめて配置されて、互いに電気的に接続される。同様に、複数の警告灯１２は、警告灯基盤１２Ａ上にまとめて配置されて、互いに電気的に接続される。
【００１８】
室内灯１１及び警告灯１２は、天井面１Ｂに固定されたベース部材１３に室内灯基盤１１Ａ及び警告灯基盤１２Ａが固定されることで、天井面１Ｂに対して位置が固定される。ベース部材１３は、複数の貫通孔１３ｈ（図３参照）を有し、各々の貫通孔１３ｈに挿通されたネジ部材１８により天井面１Ｂに対して固定される。なお、カバー９は、ベース部材１３の全体を覆う大きさとされる。
【００１９】
図３に示すように、本実施形態では、一つの室内照明１０において、二つの室内灯基盤１１Ａが車両前後方向に並んで設けられており、各室内灯基盤１１Ａ上に１６個の室内灯１１が規則的に並んで配置されている。二つの室内灯基盤１１Ａ上に配置されたすべての室内灯１１は、室内灯基盤１１Ａの端部に設けられた基盤用端子１１Ｂ同士がハーネス１６で接続されることで、電気的に接続されている。
【００２０】
室内灯１１の近傍には、室内灯１１と制御装置５又は図示しない室内灯スイッチを介して車載バッテリとを接続するための集合端子１７が設けられている。集合端子１７は、図示しないハーネスを介して車載バッテリに電気的に接続されているとともに、ベース部材１３に固定されている。本実施形態の室内灯１１は、二つの室内灯基盤１１Ａのうち一方の室内灯基盤１１Ａの端部に設けられた室内灯用端子１４が、ハーネス１６を介して集合端子１７に接続されることで、車載バッテリと電気的に接続されている。
【００２１】
また、本実施形態では、一つの室内照明１０において、一つの警告灯基盤１２Ａが室内灯基盤１１Ａの車幅方向（図３に示す例では車両左側）に隣接して設けられており、この警告灯基盤１２Ａ上に４個の警告灯１２が規則的に並んで配置されている。警告灯１２は、警告灯基盤１２Ａの端部に設けられた警告灯用端子１５がハーネス１６を介して集合端子１７と接続されることで、車載バッテリに電気的に接続されている。このように、警告灯１２は、室内灯１１に電力を供給する配線の一部を利用して車載バッテリに接続されている。
【００２２】
［２．作用，効果］
上述した室内照明１０によれば、警告灯１２と室内灯１１とが単一のカバー９で覆われるため、警告灯１２が点灯又は点滅しない場合は乗員から警告灯１２を目視しにくくすることができる。よって、車室内の景観を損なうことなく警告灯１２を車室内に設けることができる。また、警告灯１２を室内灯１１の近傍に配置することで、警告灯１２の配線を室内灯１１の配線と同じルートで通すことができる。詳述すれば、室内灯１１に電力を供給するために設けられた既存の配線（集合端子１７）を利用して、警告灯１２に電力を供給することができる。このため、新たな配線設計を要さないことから、コストを抑えることができる。従って、上述の室内照明１０によれば、コストを抑えながら、車室内の景観を損なうことなく警告灯１２を設けることができる。
【００２３】
［３．変形例］ 
上述した室内照明１０の構成は一例である。上述した室内照明１０には、警告灯１２を天井面１Ｂに対して固定するための警告灯基盤１２Ａが室内灯基盤１１Ａとは別体で設けられていたが、警告灯基盤１２Ａを省略してもよい。具体的には、図４に示す室内照明１０′のように、警告灯１２′が、室内灯基盤１１Ａ上に配置されてもよい。このように構成された室内照明１０′であれば、警告灯１２′を省スペースで配置することができるとともに、警告灯基盤や警告灯基盤をカバー部材１３に固定するための構成が不要となるため、コストを抑えることができる。
【００２４】
また、発光する色を変更可能な光学的信号装置で警告灯１２″を構成し、この警告灯１２″を通常時は室内灯１１と同様に用いてもよい。この場合、例えば図５に示す室内照明１０″のように、一つの室内灯基盤１１Ａ上に１０個の室内灯１１と６個の警告灯１２″とを規則的に並べて配置すればよい。このように構成された室内照明１０″であれば、警告灯１２″を室内灯としても機能させることができるため、室内灯１１及び警告灯１２″をより省スペースで配置することができる。
【符号の説明】
【００２５】
１  車両
７  緊急停止ボタン（緊急スイッチ）
９  カバー（カバー部材）
１０，１０′，１０″  室内照明（車両用室内照明装置）
１１  室内灯
１２，１２′，１２″  警告灯
【図１】
2020082873.tif 000003
【図２】
2020082873.tif 000004
【図３】
2020082873.tif 000005
【図４】
2020082873.tif 000006
【図５】
2020082873.tif 000007